【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
図柄表示手段における図柄変動表示の制御を少なくとも実行可能な制御手段と、
先読み予告を少なくとも実行可能な先読み予告手段と、
を備えた遊技台であって、
前記図柄表示手段のうちの第一の図柄表示手段は、第一の図柄変動条件の成立があった場合に、前記図柄変動表示を少なくとも実行可能なものであり、
前記図柄表示手段のうちの第二の図柄表示手段は、第二の図柄変動条件の成立があった場合に、前記図柄変動表示を少なくとも実行可能なものであり、
前記制御手段は、前記第一の図柄変動条件の成立があり、かつ第一の保留条件が満たされている場合に、前記第一の図柄変動条件の成立があったことによる前記図柄変動表示の開始を保留する制御を少なくとも実行可能なものであり、
前記制御手段は、前記第二の図柄変動条件の成立があり、かつ第二の保留条件が満たされている場合に、前記第二の図柄変動条件の成立があったことによる前記図柄変動表示の開始を保留する制御を少なくとも実行可能なものであり、
前記制御手段は、第一の保留消化条件の成立があった場合に、前記第一の図柄表示手段による図柄変動表示を開始させる制御を少なくとも実行可能なものであり、
前記制御手段は、第二の保留消化条件の成立があった場合に、前記第二の図柄表示手段による図柄変動表示を開始させる制御を少なくとも実行可能なものであり、
前記第二の保留消化条件は、前記第二の図柄表示手段について前記図柄変動表示の開始が保留されていることを少なくとも含むものであり、
前記第一の保留消化条件は、前記第二の図柄表示手段について前記図柄変動表示の開始が保留されておらず、かつ前記第一の図柄表示手段について前記図柄変動表示の開始が保留されていることを少なくとも含むものであり、
前記先読み予告手段は、前記先読み予告として連続予告を少なくとも実行可能なものであり、
前記先読み予告手段は、割込図柄変動表示において前記連続予告を少なくとも継続可能なものであり、
前記割込図柄変動表示とは、前記第二の図柄変動条件および前記第二の保留消化条件の両方の条件が前記連続予告の実行中に成立があったことによって前記連続予告の実行中に開始される図柄変動表示であり、
消化されていない保留があるかどうかを少なくとも示すことが可能な保留表示手段を備え、
前記連続予告は、前記保留表示手段とは別の表示手段によって少なくとも行われるものであり、
前記先読み予告手段は、予告終了条件の成立があった場合に、前記連続予告を少なくとも終了させるものであり、
前記予告終了条件は、第一の条件および第二の条件のうちの少なくとも一方の条件が満たされた場合に、成立するものであり、
前記第一の条件は、前記割込図柄変動表示の回数に関する条件であること
を特徴とする遊技台。
【請求項２】
請求項１記載の遊技台であって、
前記制御手段は、前記図柄変動表示を開始させる際に、当否判定を少なくとも実行可能なものであり、
前記図柄変動表示は、前記当否判定の結果に対応する図柄態様の停止表示を少なくとも含むものであり、
前記図柄表示手段は、前記図柄態様の停止表示によって、前記当否判定の結果を少なくとも報知可能なものであり、
前記先読み予告手段は、報知よりも前に、前記当否判定の結果を少なくとも予告可能なものであること
を特徴とする遊技台。
【請求項３】
請求項２記載の遊技台であって、
前記先読み予告手段は、先読み予告条件の成立があった場合に、前記先読み予告を実行可能なものであり、
前記先読み予告条件は、前記当否判定の結果が特定の当否判定結果となる場合であり、かつ第一の予告実行条件が成り立った場合に、成立するものであること
を特徴とする遊技台。
【請求項４】
請求項３記載の遊技台であって、
前記第一の予告実行条件は、第一の確率で当選となる第一の予告抽選が行われ、かつ前記第一の予告抽選に当選した場合に、成立するものであること
を特徴とする遊技台。
【請求項５】
請求項３または４に記載の遊技台であって、
前記先読み予告条件は、前記当否判定の結果が前記特定の当否判定結果とは別の当否判定結果となる場合であり、かつ第二の予告実行条件が成り立った場合に、成立するものであること
を特徴とする遊技台。
【請求項６】
請求項５記載の遊技台であって、
前記第二の予告実行条件は、第二の確率で当選となる第二の予告抽選が行われ、かつ前記第二の予告抽選に当選した場合に、成立するものであること
を特徴とする遊技台。
【請求項７】
請求項３乃至６のいずれか１項に記載の遊技台であって、
前記制御手段は、前記当否判定を実行可能な当否判定手段を少なくとも含む第一の制御手段であり、
前記第一の制御手段は、第二の制御手段に複数種類のコマンドを少なくとも送信可能なものであり、
前記第二の制御手段は、前記第一の制御手段から受信した前記コマンドに応じた制御を少なくとも実行可能なものであり、
前記第二の制御手段は、前記第一の制御手段とは別の基板により構成されており、
前記第二の制御手段は、前記先読み予告を行うかどうかを判定する判定手段を少なくとも含むものであり、
前記先読み予告条件の成立があった場合とは、前記判定手段によって前記先読み予告を行うと判定された場合であること
を特徴とする遊技台。
【請求項８】
請求項７記載の遊技台であって、
前記第一の制御手段は、前記第一の図柄変動条件が成立しているかどうかを判定する第一の図柄変動条件判定手段を少なくとも含むものであり、
前記複数種類のコマンドのうちの第一のコマンドは、前記第一の図柄変動条件判定手段によって前記第一の図柄変動条件が成立していると判定された後で、前記第二の制御手段に送信可能に構成されたものであり、
前記第一の図柄変動条件の成立があったことに応じて前記先読み予告条件が成立した場合とは、前記第一の制御手段から送信された前記第一のコマンドを前記第二の制御手段が受信した後で、前記判定手段によって前記先読み予告を行うと判定された場合であること
を特徴とする遊技台。
【請求項９】
請求項８記載の遊技台であって、
前記制御手段は、前記第二の図柄変動条件が成立しやすい時短状態を開始可能なものであり、
前記制御手段は、前記時短状態よりも前記第二の図柄変動条件が成立しにくい非時短状態を開始可能なものであり、
前記先読み予告手段は、前記非時短状態において前記第一の図柄変動条件の成立があったことに応じて前記先読み予告条件が成立した場合に、前記先読み予告を少なくとも実行可能なものであること
を特徴とする遊技台。
【請求項１０】
請求項９記載の遊技台であって、
前記非時短状態における前記第一の図柄変動条件判定手段によって前記第一の図柄変動条件が成立していると判定された場合に、前記判定手段による前記先読み予告を行うかどうかの判定が行われない、または前記判定手段によって前記先読み予告を行わないと判定されることで、前記先読み予告条件は、前記時短状態における前記第一の図柄変動条件の成立があったことに応じては、成立しないものであること
を特徴とする遊技台。
【請求項１１】
請求項９または１０に記載の遊技台であって、
前記先読み予告手段は、前記非時短状態において前記第二の図柄変動条件の成立があったことに応じて前記先読み予告条件の成立があった場合に、前記先読み予告を少なくとも実行可能なものであること
を特徴とする遊技台。
【請求項１２】
請求項９乃至１１のいずれか１項に記載の遊技台であって、
前記先読み予告手段は、前記時短状態において前記第二の図柄変動条件の成立があったことに応じて前記先読み予告条件の成立があった場合に、前記先読み予告を少なくとも実行可能なものであること
を特徴とする遊技台。
【請求項１３】
請求項７乃至１２のいずれか１項に記載の遊技台であって、
前記第一の制御手段から送信された前記コマンドを少なくとも受信可能な第一の制御部と、
画像表示手段の表示制御を少なくとも実行可能な第二の制御部と、を備え、
前記第二の制御手段は、前記第一の制御部と前記第二の制御部の両方を少なくとも含んで構成されるものであること
を特徴とする遊技台。
【請求項１４】
請求項７乃至１３のいずれか１項に記載の遊技台であって、
前記第二の制御手段は、前記割込図柄変動表示の回数をカウントするカウント手段を備えたものであり、
前記第二の制御手段は、前記カウント手段によるカウント結果を参照して前記第一の条件が満たされているかどうかを判定する条件判定手段を備えたものであること
を特徴とする遊技台。
【請求項１５】
請求項２乃至１４のいずれか１項に記載の遊技台であって、
前記第一の図柄変動条件は、第一の始動領域への入球を少なくとも一つの条件として、成立するものであり、
前記第二の図柄変動条件は、第二の始動領域への入球を少なくとも一つの条件として、成立するものであること
を特徴とする遊技台。
【請求項１６】
請求項２乃至１５のいずれか１項に記載の遊技台であって、
前記第一の図柄変動条件は、前記第一の始動領域への入球があり、かつ第一の保留数が第一の上限数未満である場合に、成立するものであり、
前記第二の図柄変動条件は、前記第二の始動領域への入球があり、かつ第二の保留数が第二の上限数未満である場合に、成立するものであり、
前記第一の保留数とは、前記第一の図柄表示手段について前記図柄変動表示の開始が保留されている数のことであり、
前記第二の保留数とは、前記第二の図柄表示手段について前記図柄変動表示の開始が保留されている数のことである、
ことを特徴とする遊技台。
【請求項１７】
請求項２乃至１６のいずれか１項に記載の遊技台であって、
前記連続予告は、第一の連続予告であり、
前記先読み予告手段は、前記第一の連続予告とは別の第二の連続予告を少なくとも実行可能であり、
前記第二の連続予告は、前記保留表示手段によって少なくとも実行可能なものであること
を特徴とする遊技台。
【請求項１８】
請求項１７記載の遊技台であって、
前記第二の連続予告は、前記第一の条件が満たされたことにより前記予告終了条件の成立があった後も継続されるものであること
を特徴とする遊技台。
【請求項１９】
請求項１７または１８に記載の遊技台であって、
前記制御手段は、前記当否判定の結果が前記特定の当否判定結果である場合に、遊技者に有利な特別遊技状態を開始可能なものであり、
前記先読み予告手段は、前記特別遊技状態の開始前に、前記第一の連続予告を少なくとも終了させることが可能なものであり、
前記先読み予告手段は、前記特別遊技状態の開始前に、前記第二の連続予告を少なくとも終了させることが可能なものであること
を特徴とする遊技台。
【請求項２０】
請求項１乃至１９のいずれか１項に記載の遊技台であって、
前記第二の条件は、複数の条件全ての成立があった場合に、満たされるものであること
を特徴とする遊技台。
【請求項２１】
請求項１乃至２０のいずれか１項に記載の遊技台であって、
前記予告終了条件は、複数の条件のうちの少なくとも一つが満たされた場合に、成立するものであり、
前記第一の条件は、前記複数の条件のうちの一つの条件であり、
前記第二の条件は、前記複数の条件のうちの一つの条件であること
を特徴とする遊技台。
【請求項２２】
請求項１乃至２１のいずれか１項に記載の遊技台であって、
前記第一の条件は、前記割込図柄変動表示が連続して実行された回数が所定の回数以上であることを少なくとも含むものであること
を特徴とする遊技台。
【手続補正２】
【補正対象書類名】明細書
【補正対象項目名】０００６
【補正方法】変更
【補正の内容】
【０００６】
上記目的は、
図柄表示手段における図柄変動表示の制御を少なくとも実行可能な制御手段と、
先読み予告を少なくとも実行可能な先読み予告手段と、
を備えた遊技台であって、
前記図柄表示手段のうちの第一の図柄表示手段は、第一の図柄変動条件の成立があった場合に、前記図柄変動表示を少なくとも実行可能なものであり、
前記図柄表示手段のうちの第二の図柄表示手段は、第二の図柄変動条件の成立があった場合に、前記図柄変動表示を少なくとも実行可能なものであり、
前記制御手段は、前記第一の図柄変動条件の成立があり、かつ第一の保留条件が満たされている場合に、前記第一の図柄変動条件の成立があったことによる前記図柄変動表示の開始を保留する制御を少なくとも実行可能なものであり、
前記制御手段は、前記第二の図柄変動条件の成立があり、かつ第二の保留条件が満たされている場合に、前記第二の図柄変動条件の成立があったことによる前記図柄変動表示の開始を保留する制御を少なくとも実行可能なものであり、
前記制御手段は、第一の保留消化条件の成立があった場合に、前記第一の図柄表示手段による図柄変動表示を開始させる制御を少なくとも実行可能なものであり、
前記制御手段は、第二の保留消化条件の成立があった場合に、前記第二の図柄表示手段による図柄変動表示を開始させる制御を少なくとも実行可能なものであり、
前記第二の保留消化条件は、前記第二の図柄表示手段について前記図柄変動表示の開始が保留されていることを少なくとも含むものであり、
前記第一の保留消化条件は、前記第二の図柄表示手段について前記図柄変動表示の開始が保留されておらず、かつ前記第一の図柄表示手段について前記図柄変動表示の開始が保留されていることを少なくとも含むものであり、
前記先読み予告手段は、前記先読み予告として連続予告を少なくとも実行可能なものであり、
前記先読み予告手段は、割込図柄変動表示において前記連続予告を少なくとも継続可能なものであり、
前記割込図柄変動表示とは、前記第二の図柄変動条件および前記第二の保留消化条件の両方の条件が前記連続予告の実行中に成立があったことによって前記連続予告の実行中に開始される図柄変動表示であり、
消化されていない保留があるかどうかを少なくとも示すことが可能な保留表示手段を備え、
前記連続予告は、前記保留表示手段とは別の表示手段によって少なくとも行われるものであり、
前記先読み予告手段は、予告終了条件の成立があった場合に、前記連続予告を少なくとも終了させるものであり、
前記予告終了条件は、第一の条件および第二の条件のうちの少なくとも一方の条件が満たされた場合に、成立するものであり、
前記第一の条件は、前記割込図柄変動表示の回数に関する条件であること
を特徴とする遊技台
によって達成される。